【手続補正書】
【提出日】平成16年10月29日(2004.10.29)
【手続補正１】
【補正対象書類名】明細書
【補正対象項目名】発明の名称
【補正方法】変更
【補正の内容】
【発明の名称】通信装置及び制御方法
【手続補正２】
【補正対象書類名】明細書
【補正対象項目名】特許請求の範囲
【補正方法】変更
【補正の内容】
【特許請求の範囲】
【請求項１】
Asynchronous Write トランザクションを用いたデータ伝送に必要なコネクションが設定されたか否かを識別する識別手段を有し、
前記コネクションが設定されたことが識別された場合、所定の表示を行うことを特徴とする通信装置。
【請求項２】
Asynchronous Write トランザクションを用いたデータ伝送に必要なコネクションが設定された後に、前記データ伝送が開始されたか否かを識別する識別手段を有し、
前記データ伝送が開始されたことが識別された場合、所定の表示を行うことを特徴とする通信装置。
【請求項３】
Asynchronous Write トランザクションを用いたデータ伝送に必要なコネクションが設定された後に、前記データ伝送が中断されたか否かを識別する識別手段を有し、
前記データ伝送が中断されたことが識別された場合、所定の表示を行うことを特徴とする通信装置。
【請求項４】
Asynchronous Write トランザクションを用いたデータ転送に必要なコネクションが解除されたか否かを識別する識別手段を有し、
前記コネクションが解除されたことが識別された場合、所定の表示を停止することを特徴とする通信装置。
【請求項５】
前記通信装置は、デジタルビデオカメラであることを特徴とする請求項１から４の何れかに記載の通信装置。
【請求項６】
Asynchronous Write トランザクションを用いたデータ伝送に必要なコネクションが設定されたか否かを識別する識別手段を有する通信装置を制御する制御方法であって、
前記コネクションが設定されたことが識別された場合、所定の表示を行うことを特徴とする制御方法。
【請求項７】
Asynchronous Write トランザクションを用いたデータ伝送に必要なコネクションが設定された後に、前記データ伝送が開始されたか否かを識別する識別手段を有する通信装置を制御する制御方法であって、
前記データ伝送が開始されたことが識別された場合、所定の表示を行うことを特徴とする制御方法。
【請求項８】
Asynchronous Write トランザクションを用いたデータ伝送に必要なコネクションが設定された後に、前記データ伝送が中断されたか否かを識別する識別手段を有する通信装置を制御する制御方法であって、
前記データ伝送が中断されたことが識別された場合、所定の表示を行うことを特徴とする制御方法。
【請求項９】
Asynchronous Write トランザクションを用いたデータ転送に必要なコネクションが解除されたか否かを識別する識別手段を有する通信装置を制御する制御方法であって、
前記コネクションが解除されたことが識別された場合、所定の表示を停止することを特徴とする制御方法。
【請求項１０】
前記通信装置は、デジタルビデオカメラであることを特徴とする請求項６から９の何れかに記載の制御方法。
【手続補正３】
【補正対象書類名】明細書
【補正対象項目名】０００１
【補正方法】変更
【補正の内容】
【０００１】
【発明の属する技術分野】
本発明は、Asynchronous Write トランザクションを用いたデータ伝送を行う通信装置及びこのような通信装置を制御する制御方法に関する。
【手続補正４】
【補正対象書類名】明細書
【補正対象項目名】０００４
【補正方法】変更
【補正の内容】
【０００４】
1394シリアルバスの伝送では、リアルタイム性を要する動画像データや音声データを伝送するための同期伝送モード（Isochronous伝送、以下Isoch伝送と呼ぶ）と、機器制御や機器の状態を問い合わせるための各種コマンドデータを伝送するための非同期伝送モード（Asynchronous伝送、以下Async伝送と呼ぶ）が混在して存在する。
【手続補正５】
【補正対象書類名】明細書
【補正対象項目名】００１９
【補正方法】変更
【補正の内容】
【００１９】
本発明は、Asynchronous Write トランザクションを用いたデータ伝送に必要なコネクションが設定されたか否か、Asynchronous Write トランザクションを用いたデータ伝送が開始されたか否か、Asynchronous Write トランザクションを用いたデータ伝送が中断されたか否か又はAsynchronous Write トランザクションを用いたデータ伝送に必要なコネクションが解除されたか否かを使用者に通知できるようにすることを目的とする。
【手続補正６】
【補正対象書類名】明細書
【補正対象項目名】００２０
【補正方法】変更
【補正の内容】
【００２０】
【課題を解決するための手段】
本発明の通信装置は、Asynchronous Write トランザクションを用いたデータ伝送に必要なコネクションが設定されたか否かを識別する識別手段を有し、前記コネクションが設定されたことが識別された場合、所定の表示を行うことを特徴とする。
本発明の他の通信装置は、Asynchronous Write トランザクションを用いたデータ伝送に必要なコネクションが設定された後に、前記データ伝送が開始されたか否かを識別する識別手段を有し、前記データ伝送が開始されたことが識別された場合、所定の表示を行うことを特徴とする。
本発明の他の通信装置は、Asynchronous Write トランザクションを用いたデータ伝送に必要なコネクションが設定された後に、前記データ伝送が中断されたか否かを識別する識別手段を有し、前記データ伝送が中断されたことが識別された場合、所定の表示を行うことを特徴とする。
本発明の他の通信装置は、Asynchronous Write トランザクションを用いたデータ転送に必要なコネクションが解除されたか否かを識別する識別手段を有し、前記コネクションが解除されたことが識別された場合、所定の表示を停止することを特徴とする。
本発明の制御方法は、Asynchronous Write トランザクションを用いたデータ伝送に必要なコネクションが設定されたか否かを識別する識別手段を有する通信装置を制御する制御方法であって、前記コネクションが設定されたことが識別された場合、所定の表示を行うことを特徴とする。
本発明の他の制御方法は、Asynchronous Write トランザクションを用いたデータ伝送に必要なコネクションが設定された後に、前記データ伝送が開始されたか否かを識別する識別手段を有する通信装置を制御する制御方法であって、前記データ伝送が開始されたことが識別された場合、所定の表示を行うことを特徴とする。
本発明の他の制御方法は、Asynchronous Write トランザクションを用いたデータ伝送に必要なコネクションが設定された後に、前記データ伝送が中断されたか否かを識別する識別手段を有する通信装置を制御する制御方法であって、前記データ伝送が中断されたことが識別された場合、所定の表示を行うことを特徴とする。
本発明の他の制御方法は、Asynchronous Write トランザクションを用いたデータ転送に必要なコネクションが解除されたか否かを識別する識別手段を有する通信装置を制御する制御方法であって、前記コネクションが解除されたことが識別された場合、所定の表示を停止することを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】０１３５
【補正方法】変更
【補正の内容】
【０１３５】
次に、ProducerとConsumerとのコネクションが設定されたことを表示する装置を説明する。
【手続補正２０】
【補正対象書類名】明細書
【補正対象項目名】０１３６
【補正方法】削除
【補正の内容】
【手続補正２１】
【補正対象書類名】明細書
【補正対象項目名】０１４３
【補正方法】変更
【補正の内容】
【０１４３】
以上のように、Async Connection を張るためのAsync Write トランザクションの信号などからコネクションが張られたノードを識別し、表示することによって、Async伝送されるデータの送信側、受信側を使用者に明確にすることができ、機器の操作性をより向上させることが可能となる。
【手続補正２２】
【補正対象書類名】明細書
【補正対象項目名】０１７０
【補正方法】変更
【補正の内容】
【０１７０】
次に、ProducerからconsumerへAsyncデータが伝送されていることを表示する装置を説明する。
【手続補正２３】
【補正対象書類名】明細書
【補正対象項目名】０１７１
【補正方法】変更
【補正の内容】
【０１７１】
１対１のAsync伝送の場合、Controllerを持つ機器の種類によって図１（ａ）〜（ｃ）のような構成が考えられる。ここでは、図１（ａ）を実現する一例としてデジタルビデオカメラがControllerとProducer、ビデオプリンタをConsumerとした場合の実施例を説明する。
【手続補正２４】
【補正対象書類名】明細書
【補正対象項目名】０２３１
【補正方法】変更
【補正の内容】
【０２３１】
次に、ProducerとConsumerとのコネクションが解除され、設定されたことの表示を中止する制御を説明する。
【手続補正２５】
【補正対象書類名】明細書
【補正対象項目名】０２３２
【補正方法】変更
【補正の内容】
【０２３２】
１対１のAsync伝送の場合、Controllerを持つ機器の種類によって図１（ａ）〜（ｃ）のような構成が考えられる。ここでは、図１（ａ）を実現する一例としてデジタルビデオカメラがControllerとProducer、ビデオプリンタをConsumerとした場合の実施例を説明する。
【手続補正２６】
【補正対象書類名】明細書
【補正対象項目名】０２３９
【補正方法】変更
【補正の内容】
【０２３９】
【発明の効果】
本発明によれば、Asynchronous Write トランザクションを用いたデータ伝送に必要なコネクションが設定されたか否か、Asynchronous Write トランザクションを用いたデータ伝送が開始されたか否か、Asynchronous Write トランザクションを用いたデータ伝送が中断されたか否か又はAsynchronous Write トランザクションを用いたデータ伝送に必要なコネクションが解除されたか否かを使用者に通知することができる。